(57)【要約】【課題】  誤動作を防止すると共に簡易・迅速に警報音を鳴音させることができる防犯ブザーを提供する。【解決手段】  本体１０の正面に警報音を発生させるスピーカ１１が形成され、本体１０の背面の一部が内側に凹形状の凹部１６となっており、その凹部１６に本体１０の背面側から正面側に押して警報音を発生させるボタン式の警報スイッチ１７を備えたもの防犯ブザーであり、肩ベルトの表面に本体１０の背面が向くよう配置すると、警報スイッチ１７が肩ベルト表面と本体１０の背面との間の空間に設けられ、表から誤って警報スイッチ１７が押されることがなく、その空間に指を差し込んで警報スイッチ１７を押すことができる防犯ブザーである。【選択図】        図２
2020166091.tif 000002
【特許請求の範囲】
【請求項１】
防犯ブザーであって、
正面と背面とを有する本体と、
前記正面に形成され、警報音を発生させるスピーカと、
前記背面の一部に形成された凹形状の凹部と、
前記凹部に前記背面側から前記正面側に向かって押して前記警報音を発生させるボタン式スイッチとを備えることを特徴とする防犯ブザー。
【請求項２】
ボタン式スイッチは、特定期間押下された場合にオンとなることを特徴とする請求項１記載の防犯ブザー。
【請求項３】
凹形状となっていない背面にベルトを固定する固定部を有することを特徴とする請求項１又は２記載の防犯ブザー。
【請求項４】
本体上部にループを開閉可能なフックを設けたことを特徴とする請求項１乃至３のいずれか記載の防犯ブザー。
【請求項５】
本体に、ＬＥＤライトと、前記ライトを点灯するＬＥＤライトスイッチとを設けたことを特徴とする請求項１乃至４のいずれか記載の防犯ブザー。
【請求項６】
ＬＥＤライトスイッチをオンすると、警報音を特定時間連続して発生させるための電池残量があるか否か判定し、前記警報音を連続して発生させるための電池残量がないと判定した場合には、表示部に電池交換を促す表示を行わせる制御部を有することを特徴とする請求項５記載の防犯ブザー。
【請求項７】
本体に内蔵する電池の蓋を押えるネジが、２番プラスドライバーに対応していることを特徴とする請求項１乃至６のいずれか記載の防犯ブザー。
【発明の詳細な説明】
【技術分野】
【０００１】
本発明は、防犯ブザーに係り、特に、誤動作を防止すると共に片手で緊急時に簡易に鳴音できる防犯ブザーに関する。
【背景技術】
【０００２】
［従来の技術］
防犯ブザーは、危険な状況に遭遇した場合、ブザー鳴動により周囲へ報知する防犯用品であり、主に子供、女性、高齢者などが外出時に携帯している。
特に、小学生のランドセルに防犯ブザーを取り付けることが一般的である。
【０００３】
防犯ブザーのタイプとしては、ひもを強く引っ張ってピンを抜いて鳴音させるタイプと、ボタンを押して鳴音させるタイプがある。
但し、両タイプとも、誤動作防止のために簡単な動作では鳴音しない構成となっている。
【０００４】
［関連技術］
尚、関連する先行技術として、実用新案登録第３１０４２２８号公報「携帯用防犯ブザー」（特許文献１）、実用新案登録第３１４１２７１号公報「携帯型緊急通報装置および携帯型報知装置」（特許文献２）、特開２００７−１４０８０９号公報「携帯用防犯ブザー」（特許文献３）、特開２００８−１８６０６２号公報「携帯型防犯用具」（特許文献４）がある。
【０００５】
特許文献１には、裏側にスイッチが設けられ、ブザー本体が衣服等から取り外されたことを検出して、鳴音する構成が示されている。
特許文献２には、表面の窪みにボタンを配置し、誤操作を防止する紙製の膜を設けた構成が示されている。
【０００６】
特許文献３には、両側面に設けたスイッチを同時に押すことで、ブザーを鳴音させる構成が示されている。
特許文献４には、腕時計型で、表面に設けたボタンを押して回すことでブザーを鳴音させる構成が示されている。
【先行技術文献】
【特許文献】
【０００７】
【特許文献１】実用新案登録第３１０４２２８号公報
【特許文献２】実用新案登録第３１４１２７１号公報
【特許文献３】特開２００７−１４０８０９号公報
【特許文献４】特開２００８−１８６０６２号公報
【発明の概要】
【発明が解決しようとする課題】
【０００８】
しかしながら、従来の防犯ブザーでは、誤動作を防止するために簡単な動作で警報音を鳴音させないようになっているので、力の弱い子供が緊急事態に迅速に鳴音できるものとはなっていないという問題点があった。
【０００９】
尚、特許文献１〜４には、誤動作を防止すると共に力の弱い子供でも簡易・迅速に警報音を鳴音させる構造についての記載がない。
【００１０】
本発明は上記実情に鑑みて為されたもので、誤動作を防止すると共に簡易・迅速に警報音を鳴音させることができる防犯ブザーを提供することを目的とする。
【課題を解決するための手段】
【００１１】
上記従来例の問題点を解決するための本発明は、防犯ブザーであって、正面と背面とを有する本体と、正面に形成され、警報音を発生させるスピーカと、背面の一部に形成された凹形状の凹部と、凹部に背面側から正面側に向かって押して警報音を発生させるボタン式スイッチとを備えることを特徴とする。
【００１２】
本発明は、上記防犯ブザーにおいて、ボタン式スイッチが、特定期間押下された場合にオンとなることを特徴とする。
【００１３】
本発明は、上記防犯ブザーにおいて、凹形状となっていない背面にベルトを固定する固定部を有することを特徴とする。
【００１４】
本発明は、上記防犯ブザーにおいて、本体上部にループを開閉可能なフックを設けたことを特徴とする。
【００１５】
本発明は、上記防犯ブザーにおいて、本体に、ＬＥＤライトと、当該ライトを点灯するＬＥＤライトスイッチとを設けたことを特徴とする。
【００１６】
本発明は、上記防犯ブザーにおいて、ＬＥＤライトスイッチをオンすると、警報音を特定時間連続して発生させるための電池残量があるか否か判定し、警報音を連続して発生させるための電池残量がないと判定した場合には、表示部に電池交換を促す表示を行わせる制御部を有することを特徴とする。
【００１７】
本発明は、上記防犯ブザーにおいて、本体に内蔵する電池の蓋を押えるネジが、２番プラスドライバーに対応していることを特徴とする。
【発明の効果】
【００１８】
本発明によれば、本体には正面と背面とを有し、スピーカが、正面に形成されて警報音を発生させるものであり、凹形状の凹部が背面の一部に形成され、ボタン式スイッチが、凹部に背面側から正面側に向かって押して警報音を発生させる防犯ブザーとしているので、誤動作を防止すると共に簡易・迅速に警報音を鳴音させることができる効果がある。
【図面の簡単な説明】
【００１９】
【図１】本ブザーの正面概略図図である。
【図２】本ブザーの側面概略図である。
【図３】本ブザーの背面概略図である。
【図４】本ブザーの部分断面説明図である。
【図５】本ブザーの電池フタを外した状態の概略図である。
【図６】電池フタの裏面の概略図である。
【発明を実施するための形態】
【００２０】
本発明の実施の形態について図面を参照しながら説明する。
［実施の形態の概要］
本発明の実施の形態に係る防犯ブザー（本ブザー）は、本体の正面に警報音を発生させるスピーカが形成され、本体の背面の一部が内側に凹形状の凹部となっており、その凹部に本体の背面側から正面側に押して警報音を発生させるボタン式スイッチを備えたものとしているので、肩ベルトの表面に本体の背面が向くよう配置すると、ボタン式スイッチが肩ベルト表面と本体の背面との間の空間に設けられることになるので、表から誤ってボタン式スイッチが押されることがなく、誤動作を防止でき、その空間に指を差し込んでボタン式スイッチを押すことで簡易・迅速に警報音を鳴音できるものである。
【００２１】
［本ブザー：図１〜３］
本ブザーについて図１〜３を参照しながら説明する。図１は、本ブザーの正面概略図であり、図２は、本ブザーの側面概略図であり、図３は、本ブザーの背面概略図である。
本ブザーは、図１に示すように、本体１０の正面の上側に設けられたスピーカ１１と、正面中央に設けられた三角形のＬＥＤ（Light Emitting Diode）ライトスイッチ１２と、正面下側に電池切れ状態になりつつあることをお知らせするライト点滅部１３と、本体１０の底面に設けられたＬＥＤライト１４と、本体１０の上面に設けられたＤ環１５と、金具フック２２と、連結部２１と、背面で固定される固定ベルト３とを有している。
【００２２】
また、本ブザーは、図２、図３に示すように、背面の上側に凹形状の凹部１６が形成され、その凹部１６内に警報スイッチ１７が配置され、凹形状ではない背面の下側は電池フタ１８と固定ベルト３の通し穴１９が形成されている。
【００２３】
［本ブザーの各部］
本ブザーの各部について具体的に説明する。
スピーカ１１は、円形をしており、当該円形の周囲の隙間から警報音が出力される。尚、スピーカ１１の円形の表面には反射シールが貼られ、夜間の車のライトに反射するものとなっている。
【００２４】
ＬＥＤライトスイッチ１２は、本体１０の底面に設けられたＬＥＤライト１４を点灯又は消灯するもので、指で押したまま（オンする）で点灯し、指を離す（オフする）と消灯するようになっている。
【００２５】
ライト点滅部１３は、ＬＥＤライトスイッチ１２をオンした際に、内部の制御部が電池の容量がスピーカ１１を鳴音させるのに十分な容量か否かを、測定した電池の電圧値を基に判定する。例えば、ＬＥＤライトスイッチ１２をオンした際に、連続して２０分間の吹鳴ができない電池残量になると、ライト点滅部１３を点滅させて、電池交換が必要なことを知らせるものである。また、ＬＥＤライトスイッチ１２をオンした際に、十分な電池残量であればＬＥＤライト１４を点灯させる。
尚、２０分間の吹鳴は、公益財団法人全国防犯協会連合会の優良防犯ブザーの認定の基準となっている。ライト点滅部１３は、請求項の表示部に相当している。
【００２６】
ＬＥＤライト１４は、本体１０の底面に設けられ、ＬＥＤライトスイッチ１２のオン（押したまま）で点灯し、オフ（指を離して）で消灯する。
Ｄ環１５は、本体１０の上面に設けられ、連結部２１に接続する。
金具フック２２は、開閉可能なフックであり、ランドセルの肩ベルトのＤ環に固定される。
【００２７】
連結部２１は、金具フック２２と本体１０のＤ環１５を連結する。
固定ベルト３は、本体１０の背面で固定され、肩ベルトに固定される。
具体的には、固定ベルト３は、両端にそれぞれ接着する面ファスナーが形成され、当該面ファスナーで両端を接着して肩ベルトに固定される。
【００２８】
また、凹部１６は、背面の上側に凹形状で形成され、背面の上半分がえぐり取られた状態となっている。具体的には、凹部１６の本体１０の縦方向の側面を取り除いたものとなっている。当該凹形状の空間には、警報スイッチ１７が配置されているも、子供の指を挿入できる広さとなっている。
【００２９】
警報スイッチ１７は、押しボタン式のスイッチであり、凹部１６内に配置され、本体１０の背面側から正面側に押す構造となっており、特定期間、例えば１秒以上押下された場合に、警報音を鳴音するものである。特定期間は、２秒又は３秒以上であってもよい。
つまり、誤って警報スイッチ１７が押された場合でも、その押された期間が特定期間より短い場合には、鳴音しない機能を備えている。
【００３０】
電池フタ１８は、凹形状ではない背面の下側に設けられ、ネジ１８ｄで固定され、内部にはボタン電池が装填されている。
通し穴１９は、電池フタ１８と本体１０の背面との間に形成された隙間であって、固定ベルト３を通すものである。固定ベルト３は、電池フタ１８の一部で押さえ込まれて固定されるようになっている。
【００３１】
［本ブザーの部分断面：図４］
次に、本ブザーの部分断面について図４を参照しながら説明する。図４は、本ブザーの部分断面説明図である。尚、図４では本ブザーの下側の断面を示している。
本ブザーは、図４に示すように、正面側にＬＥＤライトスイッチ１２と、ライト点滅部１３とが設けられ、底面にはＬＥＤライト１４が設けられ、下側に突出している。
【００３２】
また、本ブザーの裏面側は、警報スイッチ１７と、電池フタ１８とが設けられ、電池フタ１８の内側には、ボタン電池４ａ，４ｂが収納（装填）され、電池フタ１８がネジ１８ｄで固定されている。
尚、電池フタ１８を固定するネジ１８ｄは、ネジサイズが汎用性がある２番プラスドライバーに対応している。
更に、電池フタ１８と本体１０との間には、通し穴１９の隙間が形成されている。その通し穴１９には、固定ベルト３が設置される。
【００３３】
［本ブザーの電池フタ１８を外した状態：図５］
次に、本ブザーの電池フタ１８を外した状態について図５を参照しながら説明する。図５は、本ブザーの電池フタを外した状態の概略図である。
本ブザーは、図５に示すように、電池フタ１８を外すと、電池４ａ，４ｂを収納する空間が形成されており、電池フタ１８を固定するネジ１８ｄが挿入されるネジ穴４１が形成されている。
また、ネジ穴４１の下側には、電池フタ１８の係止部１８ｃが挿入される凹形状の受止部４２が形成されている。
【００３４】
［電池フタ１８の裏面：図６］
次に、本ブザーの電池フタ１８の裏面について図６を参照しながら説明する。図６は、電池フタ１８の裏面の概略図である。
電池フタ１８の裏面は、図６に示すように、中央にネジ１８ｄを貫通させる貫通孔１８ｂが形成され、その下側にベルト押え部１８ａと係止部１８ｃが形成されている。
【００３５】
ベルト押え部１８ａは、固定ベルト３を挟み込むために、厚みが薄くなっている。この厚みの薄さが、通し穴１９の空間を形成している。
係止部１８ｃは、２つの凸形状で突出しており、凹形状の受止部４２に挿入される。係止部１８ｃが受止部４２に挿入されることで、ネジ１８ｄが緩んでも電池フタ１８がずれないようになっている。
【００３６】
［動作］
次に、本防犯ブザーの動作について説明する。
危険な状況に遭遇した場合に、本ブザーの凹部１６の隙間に指を差し込んで警報スイッチ１７を特定期間押下すると、スピーカ１１から警報音が鳴音する。
【００３７】
警報スイッチ１７は、肩ベルトの表面と本体１０の凹部１６との間の空間で、凹部１６に設けられているので、正面から誤って押下されることがほとんどなく、例え、誤って押下されたとしても、特定期間押下されなければ、警報音は鳴音せず、誤動作を防止できる。
また、凹部１６の空間に指を差し込んで警報スイッチ１７を特定期間押下すれば、迅速・簡易に警報音を鳴音できる。
【００３８】
［実施の形態の効果］
本防犯ブザーによれば、本体１０の正面に警報音を発生させるスピーカ１１が形成され、本体１０の背面の一部が内側に凹形状の凹部１６となっており、その凹部１６に本体１０の背面側から正面側に押して警報音を発生させるボタン式の警報スイッチ１７を備えたものとしているので、肩ベルトの表面に本体１０の背面が向くよう配置すると、警報スイッチ１７が肩ベルト表面と本体１０の背面との間の空間に設けられることになるので、表から誤って警報スイッチ１７が押されることがなく、誤動作を防止でき、その空間に指を差し込んで警報スイッチ１７を押すことで簡易・迅速に警報音を鳴音できる効果がある。
【産業上の利用可能性】
【００３９】
本発明は、誤動作を防止すると共に簡易・迅速に警報音を鳴音させることができる防犯ブザーに好適である。
【符号の説明】
【００４０】
３…固定ベルト、  ４ａ，４ｂ…電池、  １０…本体、  １１…スピーカ、  １２…ＬＥＤライトスイッチ、  １３…ライト点滅部、  １４…ＬＥＤライト、  １５…Ｄ環、  １６…凹部、  １７…警報スイッチ、  １８…電池フタ、  １８ａ…ベルト押え部、  １８ｂ…貫通孔、  １８ｃ…係止部、  １８ｄ…ネジ、  １９…通し穴、  ２１…連結部、  ２２…金具フック、  ４１…ネジ穴、  ４２…受止部
【図１】
2020166091.tif 000003
【図２】
2020166091.tif 000004
【図３】
2020166091.tif 000005
【図４】
2020166091.tif 000006
【図５】
2020166091.tif 000007
【図６】
2020166091.tif 000008